(57)【要約】【課題】太陽電池による十分な発電量を確保することができるとともに、美的外観に優れた時計を提供すること。【解決手段】時計１は、針１０と、針１０を回転可能に支持し、針１０を回転させるムーブメント９と、針１０のムーブメント９側に設けられ、光Ｌを受光して発電する太陽電池８と、太陽電池８と針１０との間に太陽電池８と対向して配置された文字板６および内板７とを有している。文字板６は、光透過性を有する光透過部６３および６４を備えている。また、内板７は、光透過性を有する光透過部７３および７４を備えており、文字板６に対して回転可能である。この内板７を回転させることにより、平面視で見たときの光透過部６３、７３同士、光透過部６４、７４同士の重なり量を調整することができる。【選択図】図１
2008164527.tif 000002
【特許請求の範囲】
【請求項１】
少なくとも１本の指針と、
前記指針を回転可能に支持し、該指針を回転させるムーブメントと、
前記指針の前記ムーブメント側に設けられ、光を受光して発電する太陽電池と、
前記太陽電池と前記指針との間に前記太陽電池と対向して配置され、光透過性を有する少なくとも１つの窓部を備える２枚の板状体とを有し、
前記２枚の板状体は、相対的に回転可能であり、少なくとも一方を他方に対して回転させることにより、平面視で見たときの前記各板状体の前記窓部同士の重なり量を調整可能に構成されていることを特徴とする時計。
【請求項２】
前記重なり量の大小に応じて、前記各窓部を介して前記太陽電池に入射する光の入射量が変化する請求項１に記載の時計。
【請求項３】
前記２枚の板状体のうちの一方の板状体が固定されており、他方の板状体が回転する請求項１または２に記載の時計。
【請求項４】
前記固定されている板状体は、前記２枚の板状体のうちの前記指針側に位置する前記板状体であり、前記回転する板状体は、前記太陽電池側に位置する前記板状体である請求項３に記載の時計。
【請求項５】
前記各板状体は、それぞれ、前記指針の回転軸と同軸上に支持されている請求項１ないし４のいずれかに記載の時計。
【請求項６】
前記２枚の板状体の間には、間隙が形成されている請求項１ないし５のいずれかに記載の時計。
【請求項７】
前記２枚の板状体のうちの前記指針側に位置する前記板状体は、文字板としての機能を有する請求項１ないし６のいずれかに記載の時計。
【請求項８】
前記各板状体は、それぞれ、板状をなす基材と、該基材の一方の面に設けられ、金属酸化物で構成された下地層と、該下地層に積層され、金属材料で構成された金属層とを有する積層体である請求項１ないし７のいずれかに記載の時計。
【請求項９】
前記２枚の板状体を相対的に回転させる回転手段を有する請求項１ないし８のいずれかに記載の時計。
【請求項１０】
前記２枚の板状体のうちの前記指針側に位置する前記板状体の前記窓部の平面視での大きさは、前記太陽電池側に位置する前記板状体の前記窓部よりも小さい請求項１ないし９のいずれかに記載の時計。
【請求項１１】
前記窓部の平面視での形状は、ほぼ円形または長尺状をなす請求項１ないし１０のいずれかに記載の時計。
【請求項１２】
前記各板状体には、それぞれ、実質的に透明な部分を有し、該部分が前記窓部として機能する請求項１ないし１１のいずれかに記載の時計。
【請求項１３】
前記時計は、腕時計である請求項１ないし１２のいずれかに記載の時計。
【発明の詳細な説明】
【技術分野】
【０００１】
本発明は、時計に関する。
【背景技術】
【０００２】
ソーラー時計（太陽電池を備えた時計）用の文字板には、太陽電池が十分な起電力を発生するのに十分な光量の光（電磁波）を透過させる機能（光透過性）が求められる。このため、従来から、ソーラー時計用文字板としては、透明性の高いプラスチック性の部材が用いられてきた。ところが、プラスチックは、一般に、Ａｕ、Ａｇ等の金属材料等に比べて、高級感に欠け、美的外観に劣っている。このため、プラスチック性の基板上に、接着剤を介して、金属材料で構成され開口部が設けられた金属膜を貼着して得られる文字板が提案されている（例えば、特許文献１参照）。
しかしながら、この従来の時計では、開口部を介して太陽電池に光を採り入れており、その開口部が、例えば日中の屋外や比較的照明が明るい部屋内で時計（文字板）を見たときに目立ち、時計の審美性を低下させていた。
【０００３】
【特許文献１】特開平１１−３２６５４９号公報
【発明の開示】
【発明が解決しようとする課題】
【０００４】
本発明の目的は、太陽電池による十分な発電量を確保することができるとともに、美的外観に優れた時計を提供することにある。
【課題を解決するための手段】
【０００５】
このような目的は、下記の本発明により達成される。
本発明の時計は、少なくとも１本の指針と、
前記指針を回転可能に支持し、該指針を回転させるムーブメントと、
前記指針の前記ムーブメント側に設けられ、光を受光して発電する太陽電池と、
前記太陽電池と前記指針との間に前記太陽電池と対向して配置され、光透過性を有する少なくとも１つの窓部を備える２枚の板状体とを有し、
前記２枚の板状体は、相対的に回転可能であり、少なくとも一方を他方に対して回転させることにより、平面視で見たときの前記各板状体の前記窓部同士の重なり量を調整可能に構成されていることを特徴とする。
これにより、太陽電池による十分な発電量を確保することができるとともに、美的外観に優れた時計を提供することができる。
【０００６】
本発明の時計では、前記重なり量の大小に応じて、前記各窓部を介して前記太陽電池に入射する光の入射量が変化することが好ましい。
これにより、太陽電池による十分な発電量を確保することができるとともに、美的外観により優れた時計を提供することができる。
本発明の時計では、前記２枚の板状体のうちの一方の板状体が固定されており、他方の板状体が回転することが好ましい。
これにより、重なり量の調整を容易に行なうことができる。
【０００７】
本発明の時計では、前記固定されている板状体は、前記２枚の板状体のうちの前記指針側に位置する前記板状体であり、前記回転する板状体は、前記太陽電池側に位置する前記板状体であることが好ましい。
これにより、例えば２枚の板状体のうちの指針側に位置する板状体に文字板としての機能を担持させることができる。また、重なり量の調整を容易に行なうことができる。
本発明の時計では、前記各板状体は、それぞれ、前記指針の回転軸と同軸上に支持されていることが好ましい。
これにより、一方の板状体の窓部の他方の板状体の窓部に対する位置合わせ、すなわち、重なり量の調整を容易に行なうことができる。
【０００８】
本発明の時計では、前記２枚の板状体の間には、間隙が形成されていることが好ましい。
これにより、相対的に回転した際に、板状体同士との間に摩擦が生じるのを防止することができる。よって、この摩擦による各板状体の磨耗を確実に防止することができる。また、例えば各板状体の窓部同士が重ならない状態となっても、指針側に位置する板状体の窓部を透過した光は、間隙内（板状体同士の間）を反射して、太陽電池側に位置する板状体の窓部に入射する。この入射した光は、当該窓部を透過し、さらに、太陽電池に到達する。このように、各板状体の窓部同士が重ならない状態であっても、光を太陽電池に採り込むことができ、よって、太陽電池による発電量を確保することができる。
本発明の時計では、前記２枚の板状体のうちの前記指針側に位置する前記板状体は、文字板としての機能を有することが好ましい。
これにより、時刻を確認することができる。
【０００９】
本発明の時計では、前記各板状体は、それぞれ、板状をなす基材と、該基材の一方の面に設けられ、金属酸化物で構成された下地層と、該下地層に積層され、金属材料で構成された金属層とを有する積層体であることが好ましい。
これにより、本発明の時計を審美性の高いものとすることができる。
本発明の時計では、前記２枚の板状体を相対的に回転させる回転手段を有することが好ましい。
これにより、２枚の板状体を相対的に容易かつ確実に回転させることができる。
【００１０】
本発明の時計では、前記２枚の板状体のうちの前記指針側に位置する前記板状体の前記窓部の平面視での大きさは、前記太陽電池側に位置する前記板状体の前記窓部よりも小さいことが好ましい。
これにより、太陽電池側に位置する板状体の窓部の、指針側に位置する板状体の窓部に対する位置合わせ、すなわち、重なり量の調整を容易に行なうことができる。
【００１１】
本発明の時計では、前記窓部の平面視での形状は、ほぼ円形または長尺状をなすことが好ましい。
これにより、２枚の板状体のうちの指針側に位置する板状体の窓部が、外観上、目立たないものとなる。これにより、時計が美的外観に優れたものとなる。また、太陽電池に対して、窓部を透過した光が過不足なく（均一に）照射される。これにより、太陽電池による十分な発電量を確保することができる。
本発明の時計では、前記各板状体には、それぞれ、実質的に透明な部分を有し、該部分が前記窓部として機能することが好ましい。
これにより、太陽電池に対して光を確実に採り込むことができる。
【００１２】
本発明の時計は、腕時計であることが好ましい。
これにより、腕時計は、一般に、使用される環境の条件が一定ではなく、様々な環境下において優れた装飾性、実用性が求められるものである。そして、特に、ソーラー腕時計は、各種ソーラー時計の中でも、優れた装飾性が求められるものであるとともに、太陽電池において十分な発電が行なわれることが求められるものである。したがって、本発明は、各種時計（ソーラー時計）の中でも、特に、腕時計に好適に適用することができる。
【発明の効果】
【００１３】
本発明によれば、太陽電池による十分な発電量を確保することができるとともに、美的外観に優れた時計を提供することができる。
【発明を実施するための最良の形態】
【００１４】
以下、本発明の時計を添付図面に示す好適な実施形態に基づいて詳細に説明する。
＜第１実施形態＞
図１は、本発明の時計を腕時計に適用した場合の第１実施形態を示す部分縦断面図、図２は、図１に示す時計が有する２枚の板状体を矢印Ａ側からみた図（平面図）、図３および図４は、それぞれ、図１に示す時計が有する２枚の板状体を図２に示す状態から相対的に回転させた状態を示す図（平面図）、図５は、図４中のＢ−Ｂ線断面図、図９は、図１に示す時計が有する１枚の板状体の製造方法を示す模式的な縦断面図である。なお、以下では、説明の都合上、図１、図５および図９中の上側を「上」または「上方」、下側を「下」または「下方」と言う。
【００１５】
図１に示すように、時計（腕時計）１は、胴（ケース）２と、裏蓋３と、ベゼル（縁）４と、ガラス板（カバーガラス）５とを備えている。また、ケース２内の空間（胴２と、裏蓋３と、ベゼル４と、ガラス板５により形成された空間）には、ガラス板５が設けられた側から順に、文字板（板状体）６と、内板（板状体）７と、太陽電池８と、ムーブメント９とが収納されている。また、ムーブメント９には、針（指針）１０（時針１０１、分針１０２、秒針１０３）が回転可能に支持されており、ムーブメント９とももにケース２内の空間内に収納されている。
【００１６】
以下、時計１を構成する各部材について説明する。
胴（ケース）２、裏蓋３、ベゼル４および針１０の構成材料は、特に限定されず、各種金属材料（合金を含む）、各種樹脂材料（プラスチック材料）、各種セラミックス材料等が挙げられる。中でも、美的外観、強度などに優れることから、通常、金属材料が好適に用いられる。胴（ケース）２、裏蓋３、および、ベゼル４は、互いに、同一の材料で構成されたものであってもよいし、異なる材料で構成されたものであってもよい。
【００１７】
ガラス板５は、通常、透明性の高い透明ガラスやサファイア等で構成されている。これにより、装飾品としての時計の審美性（美的外観）を特に優れたものとすることができるとともに、太陽電池８に十分な光量の光を入射させることができる。
胴２には巻真パイプ１１が嵌入・固定され、この巻真パイプ１１内にはりゅうず１２の軸部１２１が回転可能に挿入されている。このりゅうず１２により、時針１０１および分針１０２の位置を調整することができる。
胴２とベゼル４とは、プラスチックパッキン１３により固定され、ベゼル４とガラス板５とはプラスチックパッキン１４により固定されている。
また、胴２に対し裏蓋３が嵌合（または螺合）されており、これらの接合部（シール部）１５には、リング状のゴムパッキン（裏蓋パッキン）１７が圧縮状態で介挿されている。この構成によりシール部１５が液密に封止され、防水機能が得られる。
【００１８】
りゅうず１２の軸部１２１の途中の外周には溝１２２が形成され、この溝１２２内にはリング状のゴムパッキン（りゅうずパッキン）１６が嵌合されている。ゴムパッキン１６は巻真パイプ１１の内周面に密着し、該内周面と溝１２２の内面との間で圧縮される。この構成により、りゅうず１２と巻真パイプ１１との間が液密に封止され防水機能が得られる。なお、りゅうず１２を回転操作したとき、ゴムパッキン１６は軸部１２１と共に回転し、巻真パイプ１１の内周面に密着しながら周方向に摺動する。
上記のような構成により、ケース２内の空間（胴２と、裏蓋３と、ベゼル４と、ガラス板５により形成された空間）は、液密に保持されている。
そして、ケース２内の空間には、文字板６と、内板７と、太陽電池８と、ムーブメント９とが設置されている。
【００１９】
太陽電池８は、ムーブメント９の上側に隣接して設置されている。太陽電池８は、その全体形状が板状（円板状）をなすものである。この太陽電池８は、各針（時針１０１、分針１０２および秒針１０３）の軸（回転軸）９１と同軸上に配置されている。
このように配置された太陽電池８は、後述する文字板６の各光透過部６３、６４、および、内板７の各光透過部７３、７４を介して入射した光Ｌ（例えば自然光や照明光）を受光して、その光のエネルギー（光エネルギー）を電気エネルギーに変換する機能を有する。そして、太陽電池で変換された電気エネルギーは、ムーブメント９の駆動等に利用される。
太陽電池８は、例えば、非単結晶シリコン薄膜にｐ型の不純物とｎ型の不純物とが選択的に導入され、さらにｐ型の非単結晶シリコン薄膜とｎ型の非単結晶シリコン薄膜との間に不純物濃度の低いｉ型の非単結晶シリコン薄膜を備えたｐｉｎ構造を有している。
【００２０】
ムーブメント９は、太陽電池８の発電により生じた電力によって、時針１０１、分針１０２および秒針１０３をそれぞれ駆動する（回転させる）機構を内蔵しており、各針（時針１０１、分針１０２および秒針１０３）を駆動する軸９１が文字板６および内板７の中央の孔（中心）を貫通する位置に保持されている。
図１中では省略しているが、ムーブメント９内には、例えば、太陽電池８の起電力を貯蔵する電気二重層コンデンサー、リチウムイオン二次電池や、時間基準源として水晶振動子や、水晶振動子の発振周波数をもとに時計を駆動する駆動パルスを発生する半導体集積回路や、この駆動パルスを受けて輪列機構を１秒毎に指針を駆動するステップモーターや、ステップモーターの動きを指針に伝達する輪列機構等を備えている。
【００２１】
図１に示すように、太陽電池８と針１０との間には、文字板６および内板７が上側からこの順に配置されている。これらの文字板６および内板７は、それぞれ、太陽電池８と対向した状態で、支持部材２０によって支持されている。この支持部材２０は、裏蓋３に固定されている。
支持部材２０は、円環状をなすものであり、太陽電池８やムーブメント９の外周側に設置されている。この支持部材２０は、その内周部の２箇所で内径が急峻に変化（増大）しており、それぞれの箇所で段差部２０１および２０２が形成されている。
【００２２】
段差部２０１および２０２のうちの上側に位置する段差部２０１には、内板７の縁部７１が支持されている。後述するように内板７は回転可能なものであり、当該内板７が回転する際には、その縁部７１が段差部２０１を摺動する。
なお、段差部２０１には、潤滑剤が付与されているのが好ましい。これにより、内板７が回転した際の摺動抵抗（摩擦抵抗）を低減することができる。潤滑剤としては、例えば、シリコーン、シリコーンオイル、グリース、各種オイル、界面活性剤等を用いることができる。
【００２３】
支持部材２０の上端面２０３には、文字板６の下面（裏面）６２の縁部６２１が支持固定さている。これにより、文字板６の位置が固定され、当該文字板６を指し示す針１０によって時刻を確実に確認することができる。なお、文字板６の固定方法としては、特に限定されないが、例えば、接着（接着剤や溶媒による接着）等が挙げられる。
支持部材２０の構成材料としては、特に限定されないが、例えば、裏蓋３と同様の構成材料を用いることができる。
【００２４】
文字板６は、円板状をなすものである（例えば図２参照）。この文字板６は、針１０の軸９１と同軸上に配置されて（支持されて）いる。
文字板６の上面（表面）６１には、図示しない時刻目盛りが付されている。針１０がこの時刻目盛りを指す位置によって、時刻を確認することができる。なお、文字板６の上面６１には、時刻目盛りの他に、装飾文字やマーク等が設けられていてもよい。
【００２５】
図２（図３および図４も同様）に示すように、文字板６は、光透過性を有する、すなわち、実質的に透明な部分（以下、この部分を「光透過部（窓部）６３、６４」と言う）と、光が透過しない（または透過し難い）部分（以下、この部分を「不透過部６５」と言う）とで構成されている。ここで、「実質的に透明」とは、可視光の透過度が８５％以上程度の透明性を有するものをいう（後述する内板７についても同様）。このような光透過部６３（光透過部６４も同様）により、光Ｌが光透過部６３を確実に透過し、その光Ｌを太陽電池８側に取り入れることができる。また、「実質的に透明」には、無色透明の他、有色（着色）透明も含まれる。
【００２６】
光透過部６３および６４は、それぞれ、４つ形成されて（設けられて）いる。各光透過部６３は、それぞれ、各光透過部６４よりも内側（文字板６の中心側）に配置されている。なお、図１〜図５では、光透過部６３および６４（光透過部７３および７４も同様）は、それぞれ、文字板６全体に対して誇張して（比較的大きく）描かれている。
各光透過部６３は、それぞれ、平面視での（図１中の矢印Ａ側から見たとき）形状が円弧状（長尺状）をなしている。また、各光透過部６３の両端部６３１は、それぞれ、丸みを帯びている。このような形状の４つの光透過部６３は、文字板６の周方向に沿って、間欠的に、すなわち、等角度間隔に設けられている。
【００２７】
各光透過部６４は、それぞれ、各光透過部６３に対応して、すなわち、隣接して配置されている。各光透過部６４は、それぞれ、光透過部６３と同様に、平面視での形状が円弧状（長尺状）をなしている。また、各光透過部６４の両端部６４１は、それぞれ、丸みを帯びている。また、各光透過部６４の長さは、それぞれ、当該光透過部６４に隣接する光透過部６３の長さよりも長い。
【００２８】
このような光透過部６３（光透過部６４も同様）は、外観上、それ自体の存在がより目立たないものとなる。これにより、時計１が美的外観に優れたものとなる。また、文字板６と同心的に配置された太陽電池８に対して、光透過部６３および６４を透過した光Ｌが過不足なく（均一に）照射される。これにより、太陽電池８による十分な発電量を確保することができる。
【００２９】
なお、光透過部６３および６４の形成数は、それぞれ、図示の構成では４つであるが、これに限定されず、１つ、２つ、３つまたは５つ以上であってもよい。
また、光透過部６３および６４の形成数は、図示の構成では同じであるが、これに限定されず、例えば、異なっていてもよい。
また、光透過部６３および６４の合計面積の割合は、特に限定されないが、例えば、文字板６全面積に対して２０〜８０％であるのが好ましい。
【００３０】
図１に示すように、文字板６の下側には、内板７が設けられている。この内板７は、円板状をなすものであり、針１０の軸９１と同軸上に回転可能に支持されている。
図２（図３および図４も同様）に示すように、内板７は、光透過性を有する、すなわち、実質的に透明な部分（以下、この部分を「光透過部（窓部）７３、７４」と言う）と、光が透過しない（または透過し難い）部分（以下、この部分を「不透過部７５」と言う）とで構成されている。
【００３１】
光透過部７３および７４は、それぞれ、４つ形成されて（設けられて）いる。各光透過部７３は、それぞれ、各光透過部７４よりも内側（内板７の中心側）に配置されている。なお、図１〜図５では、光透過部７３および７４は、それぞれ、内板７全体に対して誇張して（比較的大きく）描かれている。
各光透過部７３は、それぞれ、平面視での形状が円弧状（長尺状）をなしている。また、各光透過部７３の両端部７３１は、それぞれ、丸みを帯びている。このような形状の４つの光透過部７３は、内板７の周方向に沿って、間欠的に、すなわち、等角度間隔に設けられている。
【００３２】
図２に示すように、各光透過部７３は、それぞれ、平面視での大きさが文字板６の各光透過部６３よりも大きい。また、内板７の軸９１回りの回転角度にもよるが、図２に示すように、各光透過部７３は、それぞれ、平面視で、文字板６の１つの光透過部６３を包含するような位置に配置されている。なお、各光透過部７３の長さは、文字板６の隣接する光透過部６３同士間の文字板６の周方向の長さと同等またはそれより短く設定されている（図４参照）。
このような構成の光透過部７３により、当該光透過部７３の光透過部６３に対する位置合わせ、すなわち、平面視での光透過部７３と光透過部６３との重なり量（以下、単に「重なり量」と言う）の調整を容易に行なうことができる。
【００３３】
これにより、時計１を図２、図３または図４に示す状態に任意に設定することができる。図２に示す状態では、光透過部６３の全体が光透過部７３に重なっている。図２に示す状態から内板７を時計回り（図３中の矢印方向）に回転させることにより、図３に示す状態となる。この図３に示す状態では、光透過部６３および７３の一部同士が重なっている。さらに、図３に示す状態から内板７を時計回り（図４中の矢印方向）に回転させることにより、図４に示す状態となる。この図４に示す状態では、光透過部６３と光透過部７３とが重なっていない。
【００３４】
各光透過部７４は、それぞれ、各光透過部７３に対応して、すなわち、隣接して配置されている。各光透過部７４は、それぞれ、光透過部７３と同様に、平面視での形状が円弧状（長尺状）をなしている。また、各光透過部７４の両端部７４１は、それぞれ、丸みを帯びている。また、各光透過部７４の長さは、それぞれ、当該光透過部７４に隣接する光透過部７３の長さよりも長い。
【００３５】
図２に示すように、各光透過部７４は、それぞれ、平面視での大きさが文字板６の各光透過部６４よりも大きい。また、内板７の軸９１回りの回転角度にもよるが、図２に示すように、各光透過部７４は、それぞれ、平面視で、文字板６の１つの光透過部６４を包含するような位置に配置されている。なお、各光透過部７４の長さは、文字板６の隣接する光透過部６４同士間の文字板６の周方向の長さと同等またはそれより短く設定されている（図４参照）。
【００３６】
このような構成の光透過部７４により、光透過部７３とほぼ同様の効果を得る、すなわち、当該光透過部７４の光透過部６４に対する位置合わせを容易に行なうことができる。これにより、時計１を、光透過部６４の全体が光透過部７４に重なった状態（図２に示す状態）、光透過部６４および７４の一部同士が重なった状態（図３に示す状態）、光透過部６４と光透過部７４とが重ならない状態（図４に示す状態）に任意に設定することができる。
【００３７】
内板７を回転することにより、図２〜図４に示す状態のうち、図４に示す状態が、文字板６の各光透過部６３（各光透過部６４も同様）が最も目立たないものとなり、以下順に、図３に示す状態、図２に示す状態が、文字板６の各光透過部６３が目立たないものとなる。
このように重なり量に応じて、各光透過部６３の目立ちの程度を調整することができる。例えば、比較的明るい環境下（例えば日中の屋外や照明器具が作動している屋内）では時計１を図３や図４の状態とすれば、文字板６の各光透過部６３が目立つのが防止される。また、比較的暗い環境下（例えば夜間の屋外）では時計１を図２の状態とすれば、各光透過部６３の開度は最も大きくなっているが、暗い環境下なので各光透過部６３が目立つのが防止される。したがって、時計１では、それを使用する環境の明るさに左右されずに、各光透過部６３が目立つのを防止することができる。これにより、時計１は、審美性が高い、すなわち、美的外観に優れたものとなっている。
【００３８】
また、図５（図１も同様）に示すように、文字板６と内板７との間には、間隙３０が形成されている。
これにより、内板７が回転する際に、内板７と文字板６との間に摩擦が生じるのを防止することができる。よって、この摩擦による内板７や文字板６の磨耗を確実に防止することができる。
【００３９】
また、例えば図４に示す状態であっても、図５に示すように、文字板６の光透過部６４を透過した光Ｌは、間隙３０内（文字板６と内板７との間）を反射して、内板７の光透過部７３に入射する。この入射した光Ｌは、光透過部７３を透過し、さらに、太陽電池８に到達する。このように、時計１では、図２や図３に示す状態で光Ｌが太陽電池８に採り込まれるのはもちろんのこと、図４に示す状態でも光Ｌを太陽電池８に採り込むことができる。これにより、光透過部６４と光透過部７４との重なり量の大小に係わらず、太陽電池８による発電量を確保することができる。
また、重なり量の大小に応じて、これらの光透過部６３、６４、７３、７４を介して太陽電池８に入射する光Ｌの入射量が変化する。
【００４０】
換言すれば、図２に示す状態では、重なり量が最大となり、入射する光Ｌの入射量も最大となる。以下順に、図３に示す状態、図４に示す状態で、入射する光Ｌの入射量が減少する。
これにより、入射する光Ｌの入射量が最小となる図４に示す状態としても、比較的明るい環境下（例えば日中の屋外や照明器具が作動している屋内）であれば、前述したように光Ｌが太陽電池８に到達し、当該太陽電池８による十分な発電量を確保することができる。また、この場合（図４に示す状態）、前述したように、文字板６の各光透過部６３が目立つのが防止される。
【００４１】
また、比較的暗い環境下（例えば夜間の屋外）では時計１を図２や図３の状態とすれば、光Ｌが太陽電池８に到達し、当該太陽電池８による十分な発電量を確保することができる。また、この場合、時計１の使用環境が暗いので、前述したように各光透過部６３が目立つのが防止される。
このように、時計１では、重なり量を調整することができ、これにより、審美性を保ちつつ、光Ｌを太陽電池８に過不足なく採り込むことができる。
光透過部７３および７４の形成数は、それぞれ、図示の構成では４つであるが、これに限定されず、１つ、２つ、３つまたは５つ以上であってもよい。
また、光透過部７３および７４の形成数は、図示の構成では同じであるが、これに限定されず、例えば、異なっていてもよい。
【００４２】
図１に示すように、内板７の下面側には、その周方向に沿ってラック（歯車）７６が形成されている。このラック７６は、各歯の形成方向が下方に向かっている（突出している）。
また、時計１は、ラック７６と噛み合うピニオン（歯車）４０１を有するりゅうず４０を有している。りゅうず４０は、その軸部４０２が回転可能に、胴２に形成されている孔２１に挿入されている。
【００４３】
りゅうず４０の軸部４０２の途中の外周には溝４０３が形成され、この溝４０３内にはリング状のゴムパッキン（りゅうずパッキン）５０が嵌合されている。ゴムパッキン５０は、孔２１の内周面に密着し、該内周面と溝４０３の内面との間で圧縮される。この構成により、りゅうず４０と胴２との間が液密に封止され防水機能が得られる。なお、りゅうず４０を回転操作したとき、ゴムパッキン５０は軸部４０２と共に回転し、孔２１のの内周面に密着しながら周方向に摺動する。
【００４４】
軸部４０２の端部には、ピニオン４０１が設けられている。このピニオン４０１は、前述したようにラック７６と噛み合うものである。りゅうず４０を回転操作することにより、その回転力がピニオン４０１およびラック７６に伝達し、よって、内板７を所定方向（時計回りまたは反時計回り）に容易に回転させることができる。
このように時計１では、りゅうず４０およびラック７６が、内板７を回転させる回転手段を構成している。
なお、りゅうず４０の構成材料としては、特に限定されず、例えば、胴２と同様の構成材料を用いることができる。
【００４５】
また、文字板６および内板７は、それぞれ、単層のものであってもよいが、積層体で構成されたものであるのが好ましい。この場合、積層体（文字板６および内板７）は、板状をなす基材６０と、基材６０の上面（一方の面）に設けられた酸化物被膜（下地層）７０と、酸化物被膜７０に積層され、光を反射する機能を有する金属被膜（金属層）８０と、コート層９０とで構成されている（図９（１ｆ）参照）。そして、反射膜として機能する金属被膜８０には、開口部８０１が設けられている。文字板６および内板７をそれぞれ構成する積層体の構成は、同一であるため、以下、文字板６の構成を代表的に説明する。
【００４６】
基材６０は、主としてプラスチック材料で構成されたものである。プラスチック材料は、一般に、電磁波（光、電波）の透過性に優れている。
基材６０を構成するプラスチック材料としては、ポリカーボネート（ＰＣ）、アクリロニトリル−ブタジエン−スチレン共重合体（ＡＢＳ樹脂）から選択される少なくとも１種を含む材料で構成されたものであるのが好ましい。また、これらのプラスチック材料の他に、ソーダガラスや石英ガラスを用いてもよい。
【００４７】
基材６０の表面には、酸化物被膜７０が設けられている。このように、本実施形態では、主としてプラスチック材料で構成された基材６０の表面に、金属被膜８０が直接設けられずに、基材６０と金属被膜８０との間に酸化物被膜７０が介在している。これにより、基材６０と金属被膜８０との密着性（酸化物被膜７０を介しての密着性）を向上させることができ、金属被膜（反射膜）８０の浮きや剥がれ（剥離）等を効果的に防止することができる。その結果、文字板６は耐久性に優れたものとなる。また、文字板６（時計１）は、金属被膜８０を有しているため、美的外観にも優れている。
【００４８】
酸化物被膜７０は、主として金属酸化物で構成されたものである。酸化物被膜７０を構成する金属酸化物としては、各種金属の酸化物を用いることができ、好ましくは、Ｆｅ、Ｃｕ、Ｚｎ、Ｎｉ、Ｍｇ、Ｃｒ、Ｍｎ、Ｍｏ、Ｎｂ、Ａｌ、Ｖ、Ｚｒ、Ｓｎ、Ａｕ、Ｐｄ、Ｐｔ、Ａｇ、Ｃｏ、Ｉｎ、Ｗ、Ｔｉ、Ｒｈの酸化物（複合酸化物を含む）が挙げられる。
【００４９】
また、酸化物被膜７０の平均厚さは、特に限定されないが、０．００１〜１．０μｍであるのが好ましく、０．００５〜０．３μｍであるのがより好ましい。酸化物被膜７０の平均厚さが前記範囲内の値であると、時計１全体としての美的外観を特に優れたものとすることができるとともに、酸化物被膜７０の内部応力が高くなるのを十分に防止しつつ、基材６０と金属被膜８０との密着性を特に優れたものとすることができる。
【００５０】
酸化物被膜７０の表面（基材６０と接触する面とは反対側の面）には、金属被膜８０が設けられている。
金属被膜８０は、主として金属材料で構成されたものである。金属被膜８０を構成する金属材料は、一般に、金属光沢を有しており、光Ｌ（可視光）を反射する機能を有している。したがって、金属被膜８０は、光Ｌを反射する反射膜として機能する。
【００５１】
金属被膜８０を構成する金属材料としては、各種金属（合金を含む）を用いることができ、好ましくは、Ｆｅ、Ｃｕ、Ｚｎ、Ｎｉ、Ｍｇ、Ｃｒ、Ｍｎ、Ｍｏ、Ｎｂ、Ａｌ、Ｖ、Ｚｒ、Ｓｎ、Ａｕ、Ｐｄ、Ｐｔ、Ａｇ、Ｃｏ、Ｉｎ、Ｗ、Ｔｉ、Ｒｈや、これらのうち少なくとも１種を含む合金が挙げられる。
金属被膜８０の平均厚さは、特に限定されないが、０．００５〜２．５μｍであるのが好ましい。金属被膜８０の平均厚さが前記範囲内の値であると、金属被膜８０の内部応力が高くなるのを十分に防止しつつ、時計１の審美性を特に優れたものとすることができる。
【００５２】
金属被膜８０には、その厚さ方向に貫通する複数の開口部８０１が所定の面積率で設けられている。このような開口部８０１を有することにより、基材６０の金属被膜８０で被覆されていない部位が外部からの光Ｌを透過させる透過部（前述した光透過部６３、６４に対応）となっており、文字板６は、外部からの光Ｌを十分に透過させることができるものとなっている。これにより、時計１を、例えば、ソーラー時計（太陽電池８を内蔵する時計）に好適に適用することができる。
【００５３】
金属被膜８０の表面には、コート層９０が設けられている。このコート層９０が設けられていることにより、例えば、光沢性、色調等を調整することができ、時計１の美的外観をさらに優れたものにすることができる。また、コート層９０により、例えば、文字板６全体としての、耐食性、耐候性、耐水性、耐油性、耐擦傷性、耐摩耗性、耐変色性等の各種特性を向上させることができ、外部環境の影響による金属被膜８０等の劣化、変性等をより確実に防止することができる。
【００５４】
コート層９０は、いかなる材料で構成されたものであってもよいが、適度な透明性を有する材料で構成されたものであるのが好ましい。このような材料としては、例えば、ウレタン系やアクリル系のプラスチック材料（樹脂材料）、各種ガラス、ダイヤモンド様炭素（ＤＬＣ）等が挙げられる。
また、コート層９０の平均厚さは、特に限定されないが、１〜５０μｍであるのが好ましい。
また、コート層９０は、省略されていてもよい。
【００５５】
次に、文字板６を構成する積層体の製造方法について図９を参照しつつ、説明する。
まず、図９（１ａ）に示すように、基材６０を準備する。
次に、図９（１ｂ）に示すように、基材６０の表面に、主として金属酸化物で構成された酸化物被膜７０を形成する。この形成方法としては、特に限定されないが、例えば、スピンコート、ディッピング、刷毛塗り、噴霧塗装、静電塗装、電着塗装等の塗装、電解めっき、浸漬めっき、無電解めっき等の湿式めっき法や、熱ＣＶＤ、プラズマＣＶＤ、レーザーＣＶＤ等の化学蒸着法（ＣＶＤ）、真空蒸着、スパッタリング、イオンプレーティング等の気相成膜法、溶射等が挙げられる。
【００５６】
次に、酸化物被膜７０上に、所定のパターンで開口部１１０が設けられたマスク１００を配した状態（図９（１ｃ）参照）で、成膜を行うことにより、金属被膜８０を形成する（図９（１ｄ）参照）。このように、マスク１００を配した状態で成膜を行うことにより、開口部８０１を有する金属被膜８０が形成される。すなわち、金属被膜８０の成膜と同時に開口部８０１が形成される。
なお、マスク１００を用いずに、金属被膜８０に対して例えば、エッチング、レーザ加工等を施すことにより、各開口部８０１を形成してもよい。
【００５７】
次に、図９（１ｅ）に示すように、マスク１００を除去する。これにより、基材６０の酸化物被膜７０、金属被膜８０が被覆された側の面において、マスク１００の開口部１１０に対応する部位は金属被膜８０で被覆された状態となり、それ以外の部位は酸化物被膜７０が露出した状態となる。
次に、図９（１ｆ）に示すように、金属被膜８０上に、コート層９０を形成する。これにより、文字板６が得られる。
【００５８】
コート層９０の形成方法は、特に限定されず、例えば、スピンコート、ディッピング、刷毛塗り、噴霧塗装、静電塗装、電着塗装等の塗装、電解めっき、浸漬めっき、無電解めっき等の湿式めっき法や、熱ＣＶＤ、プラズマＣＶＤ、レーザーＣＶＤ等の化学蒸着法（ＣＶＤ）、真空蒸着、スパッタリング、イオンプレーティング等の気相成膜法、溶射等が挙げられる。
【００５９】
＜第２実施形態＞
図６は、本発明の時計（第２実施形態）が有する板状体の窓部の形状（パターン）の他の一例を示す図（平面図）である。
以下、この図を参照して本発明の時計の第２実施形態について説明するが、前述した実施形態との相違点を中心に説明し、同様の事項はその説明を省略する。
本実施形態は、光透過部（窓部）の形状が異なること以外は前記第１実施形態と同様である。
【００６０】
図６に示す文字板６Ａでは、平面視で直線状（長尺状）をなす複数の光透過部（窓部）６７が設けられている。これらの光透過部６７は、互いにほぼ直角に交差している、すなわち、格子状をなしている。また、４本の光透過部６７で囲まれた部分が不透過部６５となっている。
このような構成の文字板６Ａにより、外観上、各光透過部６７の存在がより目立たないものとなる。これにより、時計１が美的外観に優れたものとなる。
また、内板７においても、文字板６Ａと同様の形状（格子状）の光透過部が形成されているのが好ましい。なお、この光透過部の光透過部６７に対する大小関係および位置関係は、前記第１実施形態と同様の条件（状態）とすることができる。
【００６１】
＜第３実施形態＞
図７は、本発明の時計（第３実施形態）が有する板状体の窓部の形状（パターン）の他の一例を示す図（平面図）である。
以下、この図を参照して本発明の時計の第３実施形態について説明するが、前述した実施形態との相違点を中心に説明し、同様の事項はその説明を省略する。
本実施形態は、光透過部（窓部）の形状が異なること以外は前記第１実施形態と同様である。
【００６２】
図７に示す文字板６Ｂでは、平面視で例えば長方形のような短冊状（長尺状）をなす複数の光透過部（窓部）６８が設けられている。これらの光透過部６８のうちの６本の光透過部６８で、六角形が形成されている。また、６本の光透過部６８で囲まれた部分が不透過部６５となっている。
このような構成の文字板６Ｂにより、外観上、各光透過部６８の存在がより目立たないものとなる。これにより、時計１が美的外観に優れたものとなる。
また、内板７においても、文字板６Ｂと同様の形状（短冊状）の光透過部が複数形成されているのが好ましい。なお、この光透過部の光透過部６８に対する大小関係および位置関係は、前記第１実施形態と同様の条件（状態）とすることができる。
【００６３】
＜第４実施形態＞
図８は、本発明の時計（第４実施形態）が有する板状体の窓部の形状（パターン）の他の一例を示す図（平面図）である。
以下、この図を参照して本発明の時計の第４実施形態について説明するが、前述した実施形態との相違点を中心に説明し、同様の事項はその説明を省略する。
本実施形態は、光透過部（窓部）の形状が異なること以外は前記第１実施形態と同様である。
【００６４】
図８に示す文字板６Ｃでは、平面視で円形をなす複数の光透過部（窓部）６９が設けられている。これらの光透過部６９は、格子状に配置されている。
このような構成の文字板６Ｃにより、外観上、各光透過部６９の存在がより目立たないものとなる。これにより、時計１が美的外観に優れたものとなる。
また、内板７においても、文字板６Ｃと同様の形状（円形）の光透過部が形成されているのが好ましい。なお、この光透過部の光透過部６９に対する大小関係および位置関係は、前記第１実施形態と同様の条件（状態）とすることができる。
【００６５】
以上、本発明の時計を図示の実施形態について説明したが、本発明は、これに限定されるものではなく、時計を構成する各部は、同様の機能を発揮し得る任意の構成のものと置換することができる。また、任意の構成物が付加されていてもよい。
また、本発明の時計は、前記各実施形態のうちの、任意の２以上の構成（特徴）を組み合わせたものであってもよい。
【００６６】
また、前記各実施形態で記載した時計は、腕時計である。本発明の効果は、腕時計に限らず、あらゆる時計において、得られるものであるが、腕時計に適用した場合に、より顕著な効果が得られる。すなわち、腕時計は、一般に、使用される環境の条件が一定ではなく、様々な環境下において優れた装飾性、実用性が求められるものである。そして、特に、ソーラー腕時計は、各種ソーラー時計の中でも、優れた装飾性が求められるものであるとともに、太陽電池において十分な発電が行なわれることが求められるものである。したがって、本発明は、各種時計（ソーラー時計）の中でも、特に、腕時計に好適に適用することができる。
【００６７】
また、本発明の時計では、回転手段を省略してもよい。この場合、内板は、それを回転する際に指を直接掛けるよう構成されるのが好ましい。
また、文字板が固定され、内板が回転可能となっているが、これに限定されず、例えば、文字板が回転可能であり、内板が固定されていてもよいし、双方の板が回転可能であってもよい。
また、内板の回転は、手動で行なわれるのに限定されず、例えば、電気的な制御により行なわれてもよい。
【００６８】
また、文字板の光透過部は、平面視での大きさが内板の光透過部よりも小さいものであるが、これに限定されず、内板の光透過部と同じ大きさものであってもよいし、内板の光透過部よりも大きいものであってもよい。
また、光透過部は、実質的に透明な（光透過性を有する）部位で構成されているのに限定されず、例えば、板状体（文字板、内板）を貫通する開口部で構成されていてもよい。
【００６９】
また、文字板および内板は、それぞれ、積層体に限定されず、例えば、単層のものであってもよい。
また、２枚の板状体（文字板、内板）のうち、上側の板状体が文字板として機能しているが、これに限定されず、例えば、上側の板状体が文字板として機能を有さず、別途、文字板が設置されていてもよい。
【図面の簡単な説明】
【００７０】
【図１】本発明の時計を腕時計に適用した場合の第１実施形態を示す部分縦断面図である。
【図２】図１に示す時計が有する２枚の板状体を矢印Ａ側からみた図（平面図）である。
【図３】図１に示す時計が有する２枚の板状体を図２に示す状態から相対的に回転させた状態を示す図（平面図）である。
【図４】図１に示す時計が有する２枚の板状体を図２に示す状態から相対的に回転させた状態を示す図（平面図）である。
【図５】図４中のＢ−Ｂ線断面図である。
【図６】本発明の時計（第２実施形態）が有する板状体の窓部の形状（パターン）の他の一例を示す図（平面図）である。
【図７】本発明の時計（第３実施形態）が有する板状体の窓部の形状（パターン）の他の一例を示す図（平面図）である。
【図８】本発明の時計（第４実施形態）が有する板状体の窓部の形状（パターン）の他の一例を示す図（平面図）である。
【図９】図１に示す時計が有する１枚の板状体の製造方法を示す模式的な縦断面図である。
【符号の説明】
【００７１】
１…時計（腕時計）  ２…胴（ケース）  ２１…孔  ３…裏蓋  ４…ベゼル（縁）  ５…ガラス板（カバーガラス）  ６、６Ａ、６Ｂ、６Ｃ…文字板（板状体）  ６１…上面（表面）  ６２…下面（裏面）  ６２１…縁部  ６３、６４…光透過部（窓部）  ６３１、６４１…端部  ６５…不透過部  ６７、６８、６９…光透過部（窓部）  ７…内板（板状体）  ７１…縁部  ７３、７４…光透過部（窓部）  ７３１、７４１…端部  ７５…不透過部  ７６…ラック（歯車）  ８…太陽電池  ９…ムーブメント  ９１…軸（回転軸）  １０…針（指針）  １０１…時針  １０２…分針  １０３…秒針  １１…巻真パイプ  １２…りゅうず  １２１…軸部  １２２…溝  １３…プラスチックパッキン  １４…プラスチックパッキン  １５…接合部（シール部）  １６…ゴムパッキン（りゅうずパッキン）  １７…ゴムパッキン（裏蓋パッキン）  ２０…支持部材  ２０１、２０２…段差部  ２０３…上端面  ３０…間隙  ４０…りゅうず  ４０１…ピニオン（歯車）  ４０２…軸部  ４０３…溝  ５０…ゴムパッキン（りゅうずパッキン）  ６０…基材  ７０…酸化物被膜（下地層）  ８０…金属被膜（金属層）  ８０１…開口部  ９０…コート層  １００…マスク  １１０…開口部  Ｌ…光
【図１】
2008164527.tif 000003
【図２】
2008164527.tif 000004
【図３】
2008164527.tif 000005
【図４】
2008164527.tif 000006
【図５】
2008164527.tif 000007
【図６】
2008164527.tif 000008
【図７】
2008164527.tif 000009
【図８】
2008164527.tif 000010
【図９】
2008164527.tif 000011